(57)【要約】【課題】従来のヘルメットは、例えば、帽体と、ハンモックブラケットによって帽体内に取り付けられたハンモックと、耳紐ブラケットによってハンモックブラケットに取り付けられた耳紐とを有しており、部品点数が多かった。【解決手段】帽体と、帽体の内部に取り付けられる内装体と、帽体または内装体に設けられる突起と、突起が貫通する孔が形成された耳紐とを有し、突起が耳紐の孔を貫通したヘルメットにより、部品点数の少ないヘルメットを提供できる。【選択図】図２
2020063521.tif 000002
【特許請求の範囲】
【請求項１】
帽体と、
前記帽体の内部に取り付けられる内装体と、
前記帽体または前記内装体に設けられる突起と、
前記突起が貫通する孔が形成された耳紐とを有し、
前記突起が前記耳紐の孔を貫通したヘルメット。
【請求項２】
前記内装体は、
ハンモックを含み、
前記突起は、
前記ハンモックに設けられ、
前記帽体は、
前記ハンモックの突起が前記耳紐の孔を貫通した状態で、当該耳紐を押さえる請求項１記載のヘルメット。
【請求項３】
前記ハンモックの突起は、
当該ハンモックの外面から前記帽体の内面に向かって伸びる柱状の突起であり、
前記帽体の内面に突条が形成されており、
当該柱状の突起の先端には、前記突条と係合する溝が形成されている請求項２記載のヘルメット。
【請求項４】
前記柱状の突起は、
前記ハンモックの外面の法線に対して上向きに傾斜している請求項３記載のヘルメット。
【請求項５】
前記ハンモックには、
当該ハンモックの突起が前記耳紐の孔を貫通した状態で当該耳紐の先端が貫通可能な横孔がさらに形成されている請求項２から請求項４いずれか一項に記載のヘルメット。
【請求項６】
前記ハンモックには、
当該ハンモックの突起に対応する位置に、開閉可能なパネルがヒンジを介して設けられており、
前記パネルには、
前記ハンモックの突起が貫通する第二の孔が形成され、
前記ヒンジには、
前記耳紐の先端が貫通可能なスリットが形成され、
前記パネルは、
前記耳紐の先端が前記ヒンジのスリットを貫通し、かつ前記ハンモックの突起が前記耳紐の孔を貫通した状態で閉じられる請求項２記載のヘルメット。
【請求項７】
前記ハンモックの突起は、
当該ハンモックの外面に沿って上方に延びる板状の突起であり、
前記ハンモックには、
前記耳紐の孔を貫通した板状の突起の先端が当該ハンモックの内面側に貫通可能な矩形の孔がさらに形成されている請求項２記載のヘルメット。
【請求項８】
前記内装体は、
ハンモックを含み、
前記突起は、
前記帽体に設けられ、
前記ハンモックは、
前記帽体の突起が前記耳紐の孔を貫通した状態で、当該耳紐を押さえる請求項１記載のヘルメット。
【請求項９】
前記ハンモックには、
前記帽体の突起が貫通する第二の孔が形成され、
前記ハンモックは、
前記帽体の突起が、前記耳紐の孔を貫通し、さらに当該ハンモックの第二の孔をも貫通した状態で、当該耳紐を押さえる請求項８記載のヘルメット。
【請求項１０】
前記耳紐は、
前記孔の近傍が補強されている請求項１から請求項９いずれか一項に記載のヘルメット。
【発明の詳細な説明】
【技術分野】
【０００１】
本発明は、ヘルメットに関するものである。
【背景技術】
【０００２】
従来、帽体と、ハンモックブラケットによって帽体内に取り付けられたハンモックと、耳紐ブラケットによってハンモックブラケットに取り付けられた耳紐とを有するヘルメットが存在した（例えば、特許文献１参照）。
【先行技術文献】
【特許文献】
【０００３】
【特許文献１】特開２００１−８１６２３号公報
【発明の概要】
【発明が解決しようとする課題】
【０００４】
しかし、上記従来のヘルメットは、部品点数が多かった。
【課題を解決するための手段】
【０００５】
本第一の発明のヘルメットは、帽体と、帽体の内部に取り付けられる内装体と、帽体または内装体に設けられる突起と、突起が貫通する孔が形成された耳紐とを有し、突起が耳紐の孔を貫通したヘルメットである。
【０００６】
かかる構成により、耳紐を内装体または帽体に取り付けるための部材が不要なので、部品点数の少ないヘルメットを提供できる。
【０００７】
また、本第二の発明のヘルメットは、第一の発明に対して、内装体は、ハンモックを含み、突起は、ハンモックに設けられ、帽体は、ハンモックの突起が耳紐の孔を貫通した状態で、耳紐を押さえるヘルメットである。
【０００８】
かかる構成により、耳紐をハンモックに取り付けるための部材が不要なので、部品点数の少ないヘルメットを提供できる。
【０００９】
また、本第三の発明のヘルメットは、第二の発明に対して、ハンモックの突起は、ハンモックの外面から帽体の内面に向かって伸びる柱状の突起であり、帽体の内面に突条が形成されており、柱状の突起の先端には、突条と係合する溝が形成されているヘルメットである。
【００１０】
かかる構成により、突条と溝とが係合することで、耳紐の脱落を効果的に防止できる。また、ハンモックと帽体との結合も強まる。
【００１１】
また、本第四の発明のヘルメットは、第三の発明に対して、柱状の突起は、ハンモックの外面の法線に対して上向きに傾斜しているヘルメットである。
【００１２】
かかる構成により、ハンモックが帽体と結合される前に、耳紐が脱落することを防止できるので、ヘルメットの組み立てが容易になる。
【００１３】
また、本第五の発明のヘルメットは、第二から第四いずれか１つの発明に対して、ハンモックには、ハンモックの突起が耳紐の孔を貫通した状態で耳紐の先端が貫通可能な横孔がさらに形成されているヘルメットである。
【００１４】
かかる構成により、耳紐の先端を横孔に差し込んだ後、耳紐を下に曲げることで、耳紐の孔にハンモックの突起を容易に通すことができ、ヘルメットの組み立てが容易になる。
【００１５】
また、本第六の発明のヘルメットは、第二の発明に対して、ハンモックには、ハンモックの突起に対応する位置に、開閉可能なパネルがヒンジを介して設けられており、パネルには、ハンモックの突起が貫通する第二の孔が形成され、ヒンジには、耳紐の先端が貫通可能なスリットが形成され、パネルは、耳紐の先端がヒンジのスリットを貫通し、かつハンモックの突起が耳紐の孔を貫通した状態で閉じられるヘルメットである。
【００１６】
かかる構成により、ハンモックを帽体と結合する前に、パネルを閉じることで、耳紐が脱落することを防止できるので、ヘルメットの組み立てが容易になる。また、ハンモックが帽体と結合された後に、帽体からの押圧がパネルを介して耳紐に広範囲に伝わる結果、耳紐のダメージを抑えつつ耳紐の脱落を防止できる。
【００１７】
また、本第七の発明のヘルメットは、第二の発明に対して、ハンモックの突起は、ハンモックの外面に沿って上方に延びる板状の突起であり、ハンモックには、耳紐の孔を貫通した板状の突起の先端がハンモックの内面側に貫通可能な矩形の孔がさらに形成されているヘルメットである。
【００１８】
かかる構成により、突起に耳紐の孔を通した後、突起の先端を矩形の孔に押し込むことで、ハンモックが帽体と結合される前に、耳紐が脱落し難くなる結果、ヘルメットの組み立てが容易になる。また、ハンモックが帽体と結合された後には、帽体からの押圧が板状の突起を介して耳紐に伝わる結果、耳紐の脱落を防止できる。
【００１９】
また、本第八の発明のヘルメットは、第一の発明に対して、内装体は、ハンモックを含み、突起は、帽体に設けられ、ハンモックは、帽体の突起が耳紐の孔を貫通した状態で、耳紐を押さえるヘルメットである。
【００２０】
かかる構成により、耳紐を帽体に取り付けるための部材が不要なので、部品点数の少ないヘルメットを提供できる。
【００２１】
また、本第九の発明のヘルメットは、第八の発明に対して、ハンモックには、帽体の突起が貫通する第二の孔が形成され、ハンモックは、帽体の突起が、耳紐の孔を貫通し、さらにハンモックの第二の孔をも貫通した状態で、耳紐を押さえるヘルメットである。
【００２２】
かかる構成により、ハンモックを帽体に取り付けるための突起を、耳紐の取り付けにも利用することで、耳紐を帽体に取り付けるための専用の部材が不要となり、部品点数を削減できる。
【００２３】
また、本第十の発明のヘルメットは、第一から第九いずれか１つの発明に対して、耳紐は、孔の近傍が補強されているヘルメットである。
【００２４】
かかる構成により、耳紐に孔を開けたことによる耳紐の強度低下を補うことができる。
【発明の効果】
【００２５】
本発明によれば、部品点数の少ないヘルメットを提供できる。
【図面の簡単な説明】
【００２６】
【図１】実施の形態におけるヘルメット１の概要図
【図２】突起を有するハンモックの一例を示す図
【図３】ハンモックの突起が耳紐の孔を貫通した状態で、帽体が耳紐を押さえている様子を示す図
【図４】突起を有するハンモックの他の例を示す図
【図５】突起を有するハンモックのその他の例を示す図
【図６】突起を有するハンモックのさらにその他の例を示す図
【図７】突起を有する帽体の一例を示す図
【発明を実施するための形態】
【００２７】
以下、ヘルメット等の実施形態について図面を参照して説明する。なお、実施の形態において同じ符号を付した構成要素は同様の動作を行うので、再度の説明を省略する場合がある。
【００２８】
本実施の形態において、帽体または内装体に突起が設けられ、耳紐に孔が形成され、突起が耳紐の孔を貫通したヘルメットについて説明する。
【００２９】
また、上記のようなヘルメットの第一の態様として、内装体はハンモックを含み、突起はハンモックに設けられ、ハンモックの突起が耳紐の孔を貫通した状態で、帽体が耳紐を押さえるヘルメットについて説明する。
【００３０】
また、上記のようなヘルメットの第二の態様として、内装体はハンモックを含み、突起は帽体に設けられ、帽体の突起が耳紐の孔を貫通した状態で、ハンモックが耳紐を押さえるヘルメットについて説明する。
【００３１】
図１は、本実施の形態におけるヘルメット１の概要図である。このヘルメット１は、着用者の頭を覆う帽体１１と、帽体１１の内部に取り付けられる内装体１２と、帽体１１または内装体１２に取り付けられる耳紐１３とを備える。
【００３２】
詳しくは、耳紐１３は、例えば、左右の耳に対応する２本の紐で構成される。これら２本の紐のうち、左耳に対応する紐（以下、左紐と記す場合がある）の２つの端部が、帽体１１または内装体１２の左側に取り付けられ、また、右の耳に対応する紐（以下、右紐）の２つの端部が、帽体１１または内装体１２の右側に取り付けられる。
【００３３】
また、図１では省略しているが、帽体１１または内装体１２に突起（１２１１，１２１１ａ〜１２１１ｄ）が設けられ、耳紐１３には、突起が貫通する孔が形成されており、突起は、耳紐１３の孔を貫通している。そして、突起が耳紐１３の孔を貫通した状態で、帽体１１と内装体１２とが結合されている。
【００３４】
詳しくは、例えば、帽体１１または内装体１２の左側の、前寄りおよび後ろ寄りに、２つの突起が設けられる一方、耳紐１３を構成する左紐の２つの端部に、これら２つの突起が貫通する２つの孔が形成されている。帽体１１または内装体１２の左側の２つの突起は、左紐の２つの孔を貫通している。
【００３５】
また、帽体１１または内装体１２の右側の、前寄りおよび後ろ寄りに、２つの突起が設けられる一方、耳紐１３を構成する右紐の２つの端部に、これら２つの突起が貫通する２つの孔が形成されている。帽体１１または内装体１２の右側の２つの突起は、右紐の２つの孔を貫通している。
【００３６】
なお、上記４つの突起は、通常、その全部が、内装体１２または帽体１１の一方に設けられる。ただし、上記４つの突起のうち、１または２以上が内装体１２に設けられ、他の１または２以上が帽体１１に設けられてもよい。
【００３７】
または、耳紐１３は、一の紐で構成されてもよい。この一の紐の、両端および中央に、３つの孔が形成され、これら３つの孔を貫通する３つの突起が、内装体１２または帽体１１の、左側、右側、および後ろ側に設けられ、当該３つの突起は、当該３つの孔を貫通していてもよい。
【００３８】
ただし、耳紐１３の構成は問わない。また、耳紐１３に形成される孔の数および位置も問わない。さらに、内装体１２または帽体１１に設けられる突起の数および位置も問わない。
【００３９】
なお、耳紐１３に形成される孔の数と、内装体１２または帽体１１に設けられる突起の数とは、通常、同じであるが、異なっていてもよい。例えば、耳紐１３に２以上の孔が形成されている場合において、当該２以上の孔のうち一部は、内装体１２または帽体１１のどの突起も貫通していなくてもよいし、内装体１２または帽体１１に２以上の突起が設けられている場合において、当該２以上の突起のうち一部は、耳紐１３のどの孔も貫通していなくてもよい。
【００４０】
例えば、後述する第一の態様のように、突起が内装体１２に設けられている場合、帽体１１は、内装体１２の突起が耳紐１３の孔１３１を貫通した状態で、耳紐１３を押さえる。また、例えば、後述する第二の態様のように、突起が帽体１１に設けられている場合、内装体１２は、帽体１１の突起が耳紐１３の孔を貫通した状態で、耳紐１３を押さえる。
【００４１】
内装体１２は、ハンモック１２１、およびヘッドバンド１２２を備える。ハンモック１２１は、例えば、それぞれの一方の端部が一の点で結合された３以上（図１では、４本）の吊りバンドで構成される。なお、結合は、例えば、環ひもやブラケット等の結合部材による結合でもよいし、一体成型でも構わない。
【００４２】
３以上の各吊りバンドの他方の端部は、ヘッドバンド１２２および帽体１１の各々に結合される。詳しくは、各吊りバンドの他方の端部は、例えば、図１に示されているように、ヘッドバンド１２２の外面に結合されると共に、帽体１１の内面の外周の近傍にも結合される。ただし、各吊りバンドの他方の端部が、ヘッドバンド１２２および帽体１１の各々の、どの面のどの位置に結合されるかは問わない。それによって、内装体１２が構成され、かつ帽体１１の内部に内装体１２が取り付けられる結果となる。
【００４３】
また、ハンモック１２１の３以上の各吊りバンドは、ヘッドバンド１２２等と結合される側の端部（以下、単に「端部」と記す場合がある）の近傍から分岐して伸びる枝部１２１ｂを有する。そして、これら３以上の各枝部１２１ｂの先端が、ヘッドバンド１２２に連結されている。各枝部１２１ｂの先端は、例えば、ヘッドバンド１２２の内面側に連結されるが、ヘッドバンド１２２の外面側に連結されていてもよい。ただし、枝部１２１ｂは必須ではなく、３以上の各吊りバンドは、枝部１２１ｂを有していなくても構わない。
【００４４】
なお、帽体１１と内装体１２とを結合させるための結合機構は、例えば、ブラケットやねじ等の固定具でもよいし、接着剤でもよく、その種類は問わない。または、結合機構は、内装体１２または帽体１１のうち１以上が有する弾性体でもよい。つまり、帽体１１と内装体１２とが、その少なくとも一方が有する１以上の弾性体によって押し合う結果、結合してもよい。結合機構は、帽体１１と内装体１２とが、結果として結合するような機構であれば、何でもよい。
【００４５】
本実施の形態の第一の態様において、突起（１２１１，１２１１ａ〜１２１１ｃ）は、通常、内装体１２を構成するハンモック１２１に設けられる。ただし、突起は、内装体１２を構成するヘッドバンド１２２に設けられてもよい。
【００４６】
なお、内装体１２は、例えば、ライナーをさらに備えていてもよい。ライナーとは、帽体１１の内面に取り付けられる殻状の衝撃吸収部材である。突起は、例えば、内装体１２を構成するライナーに設けられてもよいし、内装体１２のどの構成要素に設けられてもよい。
【００４７】
さらに、図１では省略しているが、帽体１１の内面には、例えば、ハンモック１２１の３以上の各吊りバンドに対応する位置に、突条が形成されている。突条とは、細長い突起である。突条は、例えば、図３に参照番号１１１で示す縦方向のリブ（縦リブ）であるが、その長さや形状や方向は問わない。以下では、帽体１１の内面に設けられた３以上（本実施の形態では、４本）の各突条を、突条１１１と記す。突条１１１は、帽体１１の強度を高める作用を有すると共に、帽体１１と内装体１２とが結合された状態で、耳紐１３をハンモック１２１側に押す作用をも有する。
【００４８】
なお、後に説明する本実施の形態の第二の態様において、突起（１２１１ｄ）は、帽体１１に設けられる。上述したライナーは、帽体１１の一部と考えることもできる。
【００４９】
（第一の態様）
図２は、突起を有するハンモック１２１の一例を示す図である。図２には、ハンモック１２１を構成する３以上の吊りバンドのうち一の吊りバンドの端部が、耳紐１３と共に示されている。なお、他の２以上の各吊りバンドにおいても、端部およびそれに取り付けられる耳紐１３の構成は、以下の説明と同様であるが、異なる構成（例えば、後述する変形例１〜３のいずれか）でもよい。
【００５０】
本例における耳紐１３は、細長い矩形（例えば、テープ状といってもよい）の紐である。耳紐１３は、その端部の近傍に孔１３１が形成されている。なお、耳紐１３の端部の近傍とは、例えば、端部から１０ｍｍ〜２０ｍｍの位置であるが、端部から１０ｍｍ未満の位置でもよいし、端部から２０ｍｍ超の位置でもよく、耳紐１３の端部に対する孔１３１の位置は問わない。また、孔１３１は、例えば、円形であるが、楕円形でもよいし、矩形や六角形等の多角形でもよく、その形状は問わない。なお、円形や楕円形は、完全な円や楕円の形状でなくてもよいし、多角形は、例えば、角が丸みを帯びていても構わない。
【００５１】
なお、孔１３１のサイズは、例えば、５ｍｍ〜１２ｍｍであるが、５ｍｍ未満でも、１２ｍｍ超でもよく、その数値は問わない。なお、最大径とは、例えば、直径、長径、対角線の長さ等である（以下同様）。
【００５２】
ハンモック１２１には、突起１２１１、および横孔１２１２を備える。突起１２１１は、ハンモック１２１の外面から帽体１１の内面に向かって伸びる柱状の突起である。柱状とは、例えば、円柱状であるが、楕円柱状でもよいし、四角柱や六角柱等の多角柱状でも構わない。
【００５３】
なお、柱状の突起１２１１のサイズは、例えば、５ｍｍ〜１２ｍｍの範囲であり、好ましくは、８ｍｍ〜１０ｍｍの範囲であるが、５ｍｍ未満でも、１２ｍｍ超でもよく、その数値は問わない。なお、ここでいうサイズとは、突起１２１１の上面の最大径である。
【００５４】
つまり、突起１２１１は、通常、孔１３１の形状に対応する形状を有し、かつ孔１３１のサイズに対応するサイズを有する。ただし、突起１２１１が孔１３１を貫通可能であれば、形状またはサイズのうち１以上が異なっていてもよい。
【００５５】
柱状の突起１２１１は、ハンモック１２１の外面の法線に対して上向きに傾斜していることは好適である。ただし、かかる傾斜は必須ではなく、柱状の突起１２１１は、ハンモック１２１の外面の法線に対して平行（言い換えると、外面に対して垂直）に伸びていてもよい。なお、柱状の突起１２１１の高さは、例えば、５ｍｍ〜１０ｍｍの範囲であるが、５ｍｍ未満でも、１０ｍｍ超でもよく、その数値は問わない。
【００５６】
柱状の突起１２１１の先端には、帽体１１の内面に形成された上述の突条１１１と係合する溝１２１１１が形成されることは好適である。ただし、溝１２１１１は必須ではなく、柱状の突起１２１１の先端は、平面でもよい。
【００５７】
横孔１２１２は、横方向の細長い孔であり、突起１２１１の直ぐ上に設けられる。なお、横孔１２１２の幅は、耳紐１３の幅と同じ又は耳紐１３の幅よりもやや大きい。また、横孔１２１２の高さは、例えば、２ｍｍ〜３ｍｍの範囲であるが、耳紐１３の厚みよりも大きければ、その数値は問わない。ハンモック１２１の突起１２１１が耳紐１３の孔１３１を貫通した状態で、耳紐１３の先端は、横孔１２１２を貫通し、ハンモック１２１の外面側に導かれる。
【００５８】
ただし、横孔１２１２は必須ではない。例えば、端部の近くに孔１３１が形成されている耳紐１３（例えば、後述する図４に示された耳紐１３を参照）を用いる場合には、ハンモック１２１は、横孔１２１２を備えていなくてもよい。
【００５９】
以上のように構成されたヘルメット１を組み立てる際、組み立て作業者は、まず、ハンモック１２１の横孔１２１２へ耳紐１３の先端を通す。その際、組み立て作業者は、耳紐１３の孔１３１が、ハンモック１２１の突起１２１１に対応する位置に来るまで、耳紐１３を横孔１２１２へ送り込む。この状態で、組み立て作業者が耳紐１３を下方に曲げると、耳紐１３の孔１３１は、斜め上方を向いた突起１２１１を通る。これにより、耳紐１３は、ハンモック１２１と結合される。
【００６０】
次に、組み立て作業者は、耳紐１３が結合されたハンモック１２１に、ヘッドバンド１２２をも結合する。そして、組み立て作業者は、ハンモック１２１およびヘッドバンド１２２を含む内装体１２を、帽体１１の内部に取り付ける。その際、組み立て作業者は、ハンモック１２１の突起１２１１の先端に形成された溝１２１１１が、帽体１１の内面に形成された突条１１１と係合するように、取り付けを行う。
【００６１】
これにより、ハンモック１２１の突起１２１１が耳紐１３の孔１３１を貫通した状態で、帽体１１が耳紐１３を押さえるように、帽体１１と内装体１２とが結合される。
【００６２】
図３は、ハンモック１２１の突起１２１１が耳紐１３の孔１３１を貫通した状態で、帽体１１が耳紐１３を押さえている様子を示す図である。この例では、帽体１１の内面の突条１１１（縦リブ）が、突起１２１１の溝１２１１１と噛み合うことで、帽体１１からの押圧が突条１１１および突起１２１１を介して耳紐１３に局所的に伝わる結果、ハンモック１２１からの耳紐１３の脱落を効果的に防止できる。
【００６３】
（第一の態様の変形例１）
図４は、突起を有するハンモック１２１の他の例を示す図である。図４には、ハンモック１２１を構成する３以上の吊りバンドのうち一の吊りバンドの端部が、耳紐１３と共に示されている。
【００６４】
本例における耳紐１３は、端部の近くに孔１３１が形成されている。突起１２１１ａは、ハンモック１２１の外面の法線に対して平行に伸びる柱状の突起である。この柱状の突起１２１１ａは、その側面の上側に、凸部を有する。
【００６５】
本例におけるハンモック１２１には、当該ハンモック１２１の突起１２１１ａに対応する位置に、開閉可能なパネル１２１４が、ヒンジ１２１３を介して設けられている。ヒンジ１２１３には、耳紐１３の先端が貫通するスリット１２１３ａが形成されている。なお、スリット１２１３ａは、耳紐１３の先端が貫通可能であれば、その形状やサイズは問わない。
【００６６】
パネル１２１４には、ハンモック１２１の突起１２１１ａが貫通する第二の孔１２１４ａが形成されている。なお、第二の孔１２１４ａは、ハンモック１２１の突起１２１１ａが貫通可能であれば、その形状やサイズは問わない。
【００６７】
パネル１２１４は、耳紐１３の先端がヒンジ１２１３のスリット１２１３ａを貫通し、かつハンモック１２１の突起１２１１ａが耳紐１３の孔１３１を貫通した状態で閉じられる。パネル１２１４が閉じられると、突起１２１１ａは、第二の孔１２１４ａを貫通し、パネル１２１４は、突起１２１１ａの凸部によって係止される。
【００６８】
そして、上記のようなハンモック１２１を有する内装体１２が、帽体１１に取り付けられると、帽体１１の突条１１１がパネル１２１４に当接し、耳紐１３は、帽体１１によって押される結果となる。従って、帽体１１からの押圧が突条１１１およびパネル１２１４を介して耳紐１３の広い範囲に伝わる結果、押圧による耳紐１３のダメージを抑えつつ、ハンモック１２１からの耳紐１３の脱落を防止できる。
【００６９】
（第一の態様の変形例２）
図５は、突起を有するハンモック１２１のその他の例を示す図である。図５には、ハンモック１２１を構成する３以上の各吊りバンドから延びる枝部１２１ｂが、耳紐１３と共に示されている。本例における耳紐１３は、先端が折り返されて二重になっており、その二重になった部分に孔１３１が形成されている。つまり、耳紐１３は、孔１３１の近傍が、折り返しによって二重構造となることで、補強されている。
【００７０】
ただし、折り返しは必須ではなく、例えば、耳紐１３と同じ素材の端切れを付加することによっても、耳紐１３の孔１３１の近傍は、二重構造となり、補強される。または、耳紐１３の孔１３１の近傍は、例えば、樹脂コーティング、またはテープ等の補強材の貼り付けなどで補強されてもよく、その補強構造は問わない。
【００７１】
なお、かかる補強構造は、第一の態様の他の変形例における耳紐１３や、後述する第二の態様における耳紐１３にも用いることができる。
【００７２】
本例におけるハンモック１２１は、３以上の各吊りバンドの枝部１２１ｂに、突起１２１１ｂが形成されている。枝部１２１ｂは、吊りバンドから分岐して斜め下に延びた後、下向きに曲がっている。つまり、枝部１２１ｂの先端の近傍は下方を向いており、突起１２１１ｂは、枝部１２１ｂの先端の近傍の下方を向いた部分から水平に伸びる脚部と、当該脚部の先端に垂直に設けられた縦長の部材とを有する。この縦長部材は、横幅が耳紐１３の孔１３１とほぼ同じである一方、縦幅はそれよりも大きいため、耳紐１３の孔１３１を貫通し得る。
【００７３】
組み立て作業者が、このような突起１２１１ｂの縦長部材を耳紐１３の孔１３１に通すことで、耳紐１３は、枝部１２１ｂの突起１２１１ｂと結合する。
【００７４】
そして、上記のようなハンモック１２１を有する内装体１２が、帽体１１に取り付けられると、突起１２１１ｂの縦長部材に帽体１１の突条１１１が当接し、耳紐１３は、帽体１１によって押される結果となる。従って、帽体１１からの押圧が、突条１１１、および突起１２１１ｂの縦長部材を介して耳紐１３に伝わる結果、ハンモック１２１からの耳紐１３の脱落を防止できる。
【００７５】
（第一の態様の変形例３）
図６は、突起を有するハンモック１２１のさらにその他の例を示す図である。図６には、ハンモック１２１を構成する３以上の各吊りバンドの端部が、耳紐１３と共に示されている。本例における耳紐１３は、端部の近傍に孔１３１を有する。孔１３１は、例えば、矩形であるが、円形等でもよく、その形状は問わない。
【００７６】
本例におけるハンモック１２１は、３以上の各吊りバンドの、ヘッドバンド１２２側の端部（以下、単に「端部」と記す場合がある）に、当該吊りバンドの外面に沿って上方に延びる板状の突起１２１１ｃが形成されている。
【００７７】
ただし、板状の突起１２１１ｃの位置は、上記端部に限らず、例えば、吊りバンドの中央でもよいし、ハンモック１２１のどこでも構わない。板状の突起１２１１ｃは、ハンモック１２１の外面に沿って上方に延びていればよい。
【００７８】
上記端部には、矩形の孔１２１２ｃが形成されており、板状の突起１２１１ｃは、この矩形の孔１２１２ｃの直ぐ下に設けられた薄い柱状の脚部と、当該脚部の先端に垂直に設けられた縦長の板部材とで構成される。この板部材は、その縦方向の長さが、矩形の孔１２１２ｃの縦方向の長さよりも長く、その幅が、矩形の孔１２１２ｃの横幅よりも狭い。従って、板状の突起１２１１ｃの先端は、矩形の孔１２１２ｃを貫通し、ハンモック１２１の内面側に突出し得る。
【００７９】
なお、板部材は、図６に示されているように、上方ほど横幅が狭くなる先細り型であることは好適であるが、必ずしも先細り型でなくてもよい。
【００８０】
また、突起１２１１ｃを構成する上記板部材の横幅は、耳紐１３の孔１３１の横幅と同じ又はそれよりも狭い。さらに、突起１２１１ｃを構成する上記脚部の形状およびサイズは、耳紐１３の孔１３１の形状およびサイズと同じ又は略同じである。このため、耳紐１３の孔１３１は、突起１２１１ｃの板部材を通り、突起１２１１ｃの脚部と係合する。
【００８１】
組み立て作業者は、まず、板状の突起１２１１ｃの先端に耳紐１３の孔１３１を通し、耳紐１３の孔１３１を板状の突起１２１１ｃの脚部と係合させる。次に、組み立て作業者は、板状の突起１２１１ｃの先端を、ハンモック１２１の矩形の孔１２１２ｃに押し込む。
【００８２】
これによって、ハンモック１２１と耳紐１３とが結合し、ハンモック１２１が帽体１１と結合される前に、耳紐１３がハンモック１２１から脱落し難くなる。その結果、ヘルメット１の組み立てが容易になる。
【００８３】
次に、組み立て作業者は、こうして耳紐１３が結合されたハンモック１２１に、ヘッドバンド１２２をも結合して内装体１２を構成し、帽体１１に当該内装体１２を取り付ける。これによって、突起１２１１ｃの板部材に帽体１１の突条１１１が当接し、耳紐１３は、帽体１１によって押される結果となる。従って、ハンモック１２１が帽体１１と結合された後は、帽体１１からの押圧が突条１１１および板状の突起１２１１ｃを介して耳紐１３に伝わる結果、ハンモック１２１からの耳紐１３の脱落を防止できる。
【００８４】
（第二の態様）
図７は、突起を有する帽体１１の一例を示す図である。図７には、帽体１１の内面の下端部が、耳紐１３、およびハンモック１２１の端部と共に示されている。
【００８５】
本例における耳紐１３には、端部の近傍に孔１３１が形成されている。ただし、耳紐１３における孔１３１の位置は問わない。また、孔１３１は、例えば、楕円形であるが、円形等でもよく、その形状は問わない。
【００８６】
本例におけるハンモック１２１は、端部に第二の孔１２１４ｄが形成されている。ただし、ハンモック１２１における第二の孔１２１４ｄの位置は問わない。また、第二の孔１２１４ｄは、例えば、矩形であるが、円形等でもよく、その形状は問わない。
【００８７】
帽体１１は、その内面の下端部に、突起１２１１ｄが形成されている。ただし、突起１２１１ｄは、帽体１１の内面であれば、どこに形成されてもよい。突起１２１１ｄは、細長い柱状の脚部と、当該脚部の先端に垂直に設けられた矩形の板部材とで構成される。この板部材は、その縦方向の長さが、第二の孔１２１４ｄの縦方向の長さよりも短く、その幅が、第二の孔１２１４ｄの横幅よりも狭い。
【００８８】
また、上記板部材の、縦方向の長さおよび横幅は、耳紐１３の孔１３１の、長径および短径と、通常、同じ又は略同じである。ただし、上記板部材は、耳紐１３の孔１３１を貫通可能であれば、そのサイズは問わない。
【００８９】
従って、帽体１１の突起１２１１ｄの先端は、耳紐１３の孔１３１を貫通し、さらにハンモック１２１の第二の孔１２１４ｄをも貫通して、ハンモック１２１の内面側に突出し得る。
【００９０】
なお、帽体１１の内面の下端部には、帽体１１をハンモック１２１と結合させるための結合部も設けられている。この結合部は、例えば、突起１２１１ｄに対して、左側、右側、および下側に配置される、３つの枠部材で構成される。これら３つの枠部材のうち、左側および右側の２つは、例えば、変形可能な金属や樹脂等の素材でできており、予め帽体１１に取り付けられている。
【００９１】
また、左右２つの各枠部材は、突起１２１１ｄの高さよりも低い。なお、ここでいう高さは、帽体１１の内面に対する突起１２１１ｄの高さであり、例えば、突起１２１１ｄ等の先端から、帽体１１の内面に下した垂線の長さである。
【００９２】
これに対して、下側の枠部材は、変形可能でも変形不能でもよく、耳紐１３およびハンモック１２１が取り付けられた後、帽体１１に取り付けられる。
【００９３】
組み立て作業者は、まず、帽体１１の突起１２１１ｄの先端に、耳紐１３の孔１３１を通す。次に、組み立て作業者は、上記結合部を構成する左右２つの各枠部材の先端側を左右に広げて、突起１２１１ｄの先端を、ハンモック１２１の矩形の孔１２１２ｃに通す。そして、組み立て作業者は、左右２つの各枠部材の広がった先端側を元に戻した後、下側の枠部材を帽体１１に取り付ける。
【００９４】
これによって、ハンモック１２１および耳紐１３が帽体１１と結合し、耳紐１３は、ハンモック１２１によって押される結果となり、帽体１１からの耳紐１３の脱落を防止できる。
【００９５】
以上、本実施の形態によれば、ヘルメット１は、帽体１１と、帽体１１の内部に取り付けられる内装体１２と、帽体１１または内装体１２に設けられる突起１２１１と、突起１２１１が貫通する孔１３１が形成された耳紐１３とを有し、突起１２１１が耳紐１３の孔１３１を貫通したヘルメットであることにより、耳紐１３を内装体１２または帽体１１に取り付けるための部材が不要なので、部品点数の少ない、組み立てが容易なヘルメットを提供できる。
【００９６】
また、ヘルメット１は、部品点数が少なく組み立てが容易であるため、例えば、装着者が、発汗等で濡れたり泥等で汚れたりした耳紐１３を交換したい時、簡単に交換できる上、交換時のコストも低い。
【００９７】
また、本実施の形態の第一の態様では、内装体１２は、ハンモック１２１を含み、突起１２１１は、ハンモック１２１に設けられ、帽体１１は、ハンモック１２１の突起１２１１が耳紐１３の孔１３１を貫通した状態で、耳紐１３を押さえることにより、耳紐１３をハンモック１２１に取り付けるための部材が不要なので、部品点数の少ない、組み立てが容易なヘルメットを提供できる。
【００９８】
また、第一の態様では、ハンモック１２１の突起１２１１は、ハンモック１２１の外面から帽体１１の内面に向かって伸びる柱状の突起１２１１であり、帽体１１の内面に突条１１１が形成されており、柱状の突起１２１１の先端には、突条１１１と係合する溝１２１１１が形成されていることにより、突条１１１と溝１２１１１とが係合することで、耳紐１３の脱落を効果的に防止できる。また、ハンモック１２１と帽体１１との結合も強まる。
【００９９】
また、第一の態様では、柱状の突起１２１１は、ハンモック１２１の外面の法線に対して上向きに傾斜していることにより、ハンモック１２１が帽体１１と結合される前に、耳紐１３が脱落することを防止できるので、ヘルメット１の組み立てが容易になる。
【０１００】
また、第一の態様では、ハンモック１２１には、当該ハンモック１２１の突起１２１１が耳紐１３の孔１３１を貫通した状態で耳紐１３の先端が貫通可能な横孔１２１２がさらに形成されている。従って、耳紐１３の先端を横孔１２１２に差し込んだ後、耳紐１３を下に曲げることで、耳紐１３の孔１３１にハンモック１２１の突起１２１１を容易に通すことができ、ヘルメット１の組み立てが容易になる。
【０１０１】
また、第一の態様の変形例１では、ハンモック１２１には、当該ハンモック１２１の突起１２１１ａに対応する位置に、開閉可能なパネル１２１４がヒンジ１２１３を介して設けられており、パネル１２１４には、ハンモック１２１の突起１２１１ａが貫通する第二の孔１２１４ａが形成され、ヒンジ１２１３には、耳紐１３の先端が貫通可能なスリット１２１３ａが形成され、パネル１２１４は、耳紐１３の先端がヒンジ１２１３のスリット１２１３ａを貫通し、かつハンモック１２１の突起１２１１ａが耳紐１３の孔１３１を貫通した状態で閉じられる。従って、ハンモック１２１を帽体１１と結合する前に、パネル１２１４を閉じることで、耳紐１３が脱落することを防止できるので、ヘルメット１の組み立てが容易になる。また、ハンモック１２１が帽体１１と結合された後に、帽体１１からの押圧がパネル１２１４を介して耳紐１３に広範囲に伝わる結果、耳紐１３のダメージを抑えつつ耳紐１３の脱落を防止できる。
【０１０２】
また、第一の態様の変形例２では、耳紐１３は、孔１３１の近傍が補強されていることより、耳紐１３に孔１３１を開けたことによる耳紐１３の強度低下を補うことができる。
【０１０３】
また、第一の態様の変形例３では、ハンモック１２１の突起１２１１ｃは、当該ハンモック１２１の外面に沿って上方に延びる板状の突起であり、ハンモック１２１には、耳紐１３の孔１３１を貫通した板状の突起１２１１ｃの先端がハンモック１２１の内面側に貫通可能な矩形の孔１２１２ｃがさらに形成されている。従って、突起１２１１ｃに耳紐１３の孔１３１を通した後、突起１２１１ｃの先端を矩形の孔１２１２ｃに押し込むことで、ハンモック１２１が帽体１１と結合される前に、耳紐１３が脱落し難くなる結果、ヘルメット１の組み立てが容易になる。また、ハンモック１２１が帽体１１と結合された後には、帽体１１からの押圧が板状の突起１２１１ｃを介して耳紐１３に伝わる結果、耳紐１３の脱落を防止できる。
【０１０４】
また、本実施の形態の第二の態様では、内装体１２は、ハンモック１２１を含み、帽体１１に突起１２１１ｄが設けられ、ハンモック１２１は、帽体１１の突起１２１１ｄが耳紐１３の孔１３１を貫通した状態で、耳紐１３を押さえることにより、耳紐１３を帽体１１に取り付けるための部材が不要なので、部品点数の少ない、組み立てが容易なヘルメットを提供できる。
【０１０５】
また、第二の態様では、ハンモック１２１には、帽体１１の突起１２１１ｄが貫通する第二の孔１２１４ｄが形成され、ハンモック１２１は、帽体１１の突起１２１１ｄが、耳紐１３の孔１３１を貫通し、さらにハンモック１２１の第二の孔１２１４ｄをも貫通した状態で、耳紐１３を押さえる。こうして、ハンモック１２１を帽体１１に取り付けるための突起１２１１ｄを、耳紐１３の取り付けにも利用することで、耳紐１３を帽体１１に取り付けるための専用の部材が不要となり、部品点数を削減できる。
【０１０６】
本発明は、以上の実施の形態に限定されることなく、種々の変更が可能であり、それらも本発明の範囲内に包含されるものであることは言うまでもない。
【産業上の利用可能性】
【０１０７】
以上のように、本発明にかかるヘルメットは、部品点数が少なく、容易に組み立てることができるという効果を有し、ヘルメット等として有用である。
【符号の説明】
【０１０８】
１  ヘルメット
１１  帽体
１２  内装体
１３  耳紐
１１１  突条
１２１  ハンモック
１２１ｂ  枝部
１２２  ヘッドバンド
１３１  孔
１２１１、１２１１ａ〜１２１１ｄ  突起
１２１２  横孔
１２１２ｃ  矩形の孔
１２１３  ヒンジ
１２１３ａ  スリット
１２１４  パネル
１２１４ａ、１２１４ｄ  第二の孔
１２１１１  溝
【図１】
2020063521.tif 000003
【図２】
2020063521.tif 000004
【図３】
2020063521.tif 000005
【図４】
2020063521.tif 000006
【図５】
2020063521.tif 000007
【図６】
2020063521.tif 000008
【図７】
2020063521.tif 000009